(57)【要約】【課題】  テレ端側で定点撮影指示を行う際に、タッチパネル操作を行うと映像に振れが加わりにやすい。【解決手段】  本発明の撮像装置は、ズーム操作が可能なズームレンズユニットと、前記ズームレンズユニットのズーム倍率を検出するズーム倍率検出部と、定点撮影モードのオンもしくはオフを指示する定点撮影スイッチと、前記ズーム倍率検出部によって検出されたズーム倍率が所定値以上である場合は、前記定点撮影スイッチを有効とし、前記ズーム倍率が所定値未満である場合は、前記定点撮影スイッチを無効とする制御部をと有することを特徴とする。【選択図】  図１
2012156773.tif 000002
【特許請求の範囲】
【請求項１】
ズーム操作が可能なズームレンズユニットと、
前記ズームレンズユニットのズーム倍率を検出するズーム倍率検出部と、
定点撮影モードのオンもしくはオフを指示する定点撮影スイッチと、
前記ズーム倍率検出部によって検出されたズーム倍率が所定値以上である場合は、前記定点撮影スイッチを有効とし、前記ズーム倍率が所定値未満である場合は、前記定点撮影スイッチを無効とする制御部をと有することを特徴とする撮像装置。
【請求項２】
前記ズームレンズユニットを望遠側あるいは広角側へ操作するズーム操作部を更に有し、
前記ズーム操作部の望遠側へ操作する部分と前記定点撮影スイッチとが隣接するように配置されていることを特徴とする請求項１に記載の撮像装置。
【請求項３】
前記ズーム操作部および前記定点撮影スイッチは、タッチパネル上に配置されることを特徴とする請求項２に記載の撮像装置。
【発明の詳細な説明】
【技術分野】
【０００１】
本発明は振れ補正機能を備えた撮像装置に関するものである。
【背景技術】
【０００２】
近年、映像を記録する装置の振れ（手振れ）等により生じた撮像画像の振れを補正する像ブレ補正機能が種々提案されている。像ブレ補正機能のうち、定点撮影機能は、低周波側の揺れ（ゆっくりとした揺れ）に対する応答性を増加させることにより低周波側での止まり感、抑止効果を従来に比べ増大させた。
また、この種の撮像装置には、表示部の表示画面上に指先によって触れることにより指定可能なタッチパネルが、表示部の表示画面上に設けられ、撮像画像等の画像や各種機能を設定するためのメニュー画面、操作スイッチ等を操作できるものが多い。
【０００３】
以上述べたようなタッチパネルを搭載した撮像装置においては、パネルに対して押す操作となることから、撮影時の操作において振れが発生しやすい。これに対して、撮影準備動作および撮影動作を指示する接触検知閾値を、前記角速度センサにより振動を検出している場合に変更することにより撮影時の振れを防止する機能について提案が既になされている（例えば特許文献１参照）。
【先行技術文献】
【特許文献】
【０００４】
【特許文献１】特開２００７−９３９６７号公報
【発明の概要】
【発明が解決しようとする課題】
【０００５】
しかしながら、前述の特許文献１のようにタッチパネルに加わる振動を像ブレ補正機能で補正するには限界がある。特に、上述した定点撮影はテレ端側で効果があるため、テレ端側で無闇にタッチパネル操作にて定点撮影指示を行うと、映像に振れが加わり易いという問題があった。
【課題を解決するための手段】
【０００６】
上述の課題を解決する為に、本発明に関わる撮像装置は、変倍操作が可能なズームレンズユニットと、前記ズームレンズユニットのズーム倍率を検出するズーム倍率検出部と、定点撮影モードのオンオフを指示する定点撮影スイッチと、前記ズーム倍率検出部によって検出されたズーム倍率が所定位置以上である場合は、前記定点撮影スイッチを有効とし、前記ズーム倍率が所定位置未満である場合は、前記定点撮影スイッチを無効とすることを特徴とする。
【発明の効果】
【０００７】
本発明によれば、テレ端側で定点撮影指示を行う際に、タッチパネル操作でも映像に振れが加わりにくくすることができる。
【図面の簡単な説明】
【０００８】
【図１】本発明における実施形態の一例であるビデオカメラ１の構成を示す斜視図である。
【図２】本発明における実施形態の一例であるビデオカメラ１の構成を示すブロック図である。
【図３】本発明における実施形態の一例であるビデオカメラ１の制御フローチャートである。
【発明を実施するための形態】
【０００９】
以下、図１−３を参照して本発明の実施形態を説明する。まず、本実施形態における撮像装置としてのビデオカメラ１の外形の説明を図１に示す。
【００１０】
撮像装置本体であるビデオカメラ１の筐体１０の側面に表示部材であるディスプレイ２が設けられている。このビデオカメラ１は、この筐体１０の側面にヒンジ機構による結合部３によってディスプレイ２が、筐体１０の側面に対して平行な第１の回転軸を中心として回動可能である。それと共に、結合部３によってディスプレイ２（表示部）が、筐体１０の側面に対して第１の回動軸に直交する第２の回転軸を中心として回動可能に取り付けられている。
【００１１】
次に、図２は、本発明の一実施形態に係るビデオカメラ１の構成を示すブロック図である。このビデオカメラは、主に動画像の撮影を行うためのビデオカメラであるとして説明する。
【００１２】
図２において、１０１はズームレンズユニットであり、光軸１００に沿った方向に移動して変倍動作を行うズームレンズを含む。１０２はズームレンズ駆動制御部であり、ズームレンズユニット１０１を駆動制御する。なお、１１５はズーム倍率検出部であり、たとえばズームレンズの位置を検出することで、ズーム倍率（光学系の撮像倍率）を検出する。
【００１３】
１０３は光軸１００に垂直な方向に位置を変更することが可能な補正レンズ（シフトレンズ）である。１０４は防振制御部であり、ジャイロセンサなどの振れ検出部１１１が検出した装置に加わる振れ信号に基づいて、補正レンズ１０３を駆動制御する。上記のズームレンズユニット１０１、補正レンズ１０３、撮影レンズユニット１０５は、被写体像を結像させる撮影レンズ内に配置されている。なお、撮影レンズユニット１０５には、フォーカスレンズユニットや絞り・ＮＤフィルタユニットが含まれるが、詳細な説明は省略する。
【００１４】
１０９は撮像部であり、各レンズ群を通ってきた光像を電気信号に変換する。１１０は信号処理部であり、撮像部１０９から出力された電気信号を映像信号に変換処理し、用途に応じて加工する。そして、信号処理部１１０から出力された信号に基づいて、ディスプレイ２は必要に応じて画像表示を行う。１１６は記憶部であり、映像情報など様々なデータを記憶する。１１７はシステム全体を制御するシステム制御部である。
【００１５】
ディスプレイ２には、タッチパネル１１２、ズーム倍率表示部１１８、ズーム操作部１１３と定点撮影スイッチ１１４が配置されている。このうち、ズーム操作部１１３と定点撮影スイッチ１１４はタッチパネル１１２上に配設されている。ズーム倍率表示部１１８は、ディスプレイ２の一部分に設けられ、ズーム倍率検出部１１５が検出したズームレンズユニット１０１のズームレンズの位置に基づいて制御部１１７が算出した光学系全体のズーム倍率を、ユーザに表示する部分である。図１ではズーム倍率が１０倍であることを示している。
【００１６】
ズーム操作部１１３は、ディスプレイ２上のタッチパネル１１２に構成されており、広角側へ移動させる操作部１１３Ｗと望遠側へ移動させる操作部１１３Ｔが設定されている。ユーザが１１３Ｗもしくは１１３Ｔをタッチすることで、タッチパネル１１２によりズームレンズユニット１０１を移動させ、変倍動作を行う。
【００１７】
定点撮影スイッチ１１４は、タッチパネル１１２上に構成されたスイッチであり、ユーザーにより定点撮影スイッチ１１４がタッチされている間（定点撮影スイッチ１１４がオンの状態）は、通常の像ブレ補正モードから定点撮影モードに入る。そして定点撮影スイッチから手を離すと定点撮影モードがオフとなり、通常の像ブレ補正モードに戻る。定点撮影モードは、従来パンニングと判定されていた大きな揺れや周波数が低い揺れに対しても良好な補正効果を得られるように、パンニング制御に移行しにくいモードである。パンニング制御では一方向へのカメラ移動に対して像ブレ補正機能の効果を落とす（振れに対して補正部材を余り移動させないようにする）ことで過補正を防いでいたが、定点撮影モードは像ぶれ補正機能の効果を落とすことなく像ブレ補正を行う。
【００１８】
なお、本実施例においては、図１のようにタッチパネル１１２上で、望遠側へ移動させる操作部１１３Ｔと定点撮影スイッチ１１４が隣接するように配置する。これは、タッチパネル上であれば、改めてタッチし直さなくても、テレ側へのズーム指示から定点撮影指示を手を滑らせて操作することができるためである。なお、ズーム操作部１１３、定点撮影スイッチ１１４は、ともにタッチパネル１１２上の配置としたが、効果が得られるのであれば、タッチパネル１１２以外であってもその近傍に配置した機械的なスイッチとしても同様の効果が得られる。
【００１９】
次に、本発明の実施形態における、上記構成を有するビデオカメラ１のタッチパネル操作時の制御部１１７の制御について、図３を用いて説明する。本実施例においては、ユーザが電源スイッチを操作することによって、制御部１１７によるビデオカメラ１の制御がスタートし、通常の振れ補正を行いながら動画撮影を行うものとする。
【００２０】
先ずステップＳ１にて、電源を入れたときはズームレンズユニット１０１がワイド端に位置するので、ディスプレイ２上の定点撮影スイッチ１１４を非表示にする。その際に、制御部１１７は、ディスプレイ２上の定点撮影スイッチ１１４の部分は、タッチパネル１１２の操作をいったん無効になるようにし、操作を受け付けないようにする。これは、定点撮影モードがテレ端側で有効なモードであり、ワイド側ではテレ側に比べて効果の得られない定点撮影モードに入ることをユーザが指示すると、タッチパネルの操作でビデオカメラ１に振れが加わってしまうためである。そしてステップＳ２にて、シフトレンズ駆動制御部１０４は，通常の像ブレ補正モードにてブレ補正を行う。
【００２１】
ステップＳ３においては、制御部１１７は、ズーム倍率検出部１１５が検出したズーム倍率が所定値以上であるかどうかを判定する。即ち、制御部１１７はズーム倍率が所定値以上であるかどうかを判定する判定手段の役割を果たす。なお、この所定値は定点撮影モードが有効となるズーム倍率である。ズーム倍率が所定値以上である場合はステップＳ４に進み、ズーム倍率が所定値未満である場合はステップＳ１に戻り、ステップＳ１の制御を実行する。
【００２２】
ステップＳ４においては、ディスプレイ２上の定点撮影スイッチ１１４を表示する。そしてディスプレイ２上の定点撮影スイッチ１１４の部分は、タッチパネル１１２の操作を有効にし、操作を受け付ける。これらの処理は、ステップＳ３にて、定点撮影モードが有効になるズーム倍率であると判断されたため、定点撮影モードに入っても効果が得られるためである。
【００２３】
ステップＳ５においては、定点撮影スイッチ１１４がタッチされたか、すなわち定点撮影スイッチ１１４がＯＮになったかどうかを判定する。定点撮影スイッチ１１４がＯＮになった場合、Ｓ６において、定点撮影モードに入る。これによって、パンニング制御に移行しにくくなり、従来パンニングと判定されていた大きな揺れや周波数が低い揺れに対しても良好な補正効果を得られるようにしている。そして、ステップＳ７にて再び定点撮影スイッチ１１４がＯＮになったかどうかを判定し、ＯＮである場合はステップＳ６の制御に戻ることによって、定点撮影スイッチ１１４をタッチしている間は定点撮影モードとすることができる。
【００２４】
スイッチＳ５において定点撮影スイッチ１１４がＯＦＦのままである場合は、ステップＳ３のズーム倍率の判定に戻り、ステップＳ３の制御を実行する。同様に、ステップＳ７において定点撮影スイッチ１１４がＯＦＦである場合、即ち定点撮影スイッチ１１４のタッチを止めた場合は、ステップＳ３のズーム倍率の判定に戻り、ステップＳ３の制御を実行する。
【００２５】
本制御は電源をオフにしたときや、メニューによって像ブレ補正機能を停止したときに中断する。そしてまた電源を入れ、像ブレ補正が開始されたときにフローがスタートすることになる。
【００２６】
なお、本実施例においては、ステップＳ６−８の制御によって、定点撮影スイッチ１１４をタッチし続けるときに定点撮影モードとすることで、定点撮影モードをＯＦＦにする際にタッチしなくてよい操作系としている。このため、定点撮影モードをＯＦＦにする際には指を離すだけで良く、タッチ操作による振れが加わらないようにしている。
【００２７】
本実施例においては、ズーム操作部１１３、定点撮影スイッチ１１４がともににタッチパネル１１２上に配置されているとした。しかし、定点撮影スイッチ１１４をタッチパネル１１２以外に配置した自照タイプの機械的ＳＷとしても良い。その場合、ズーム操作部１１３が操作され、ズーム倍率検出部１１５によりズーム倍率が所定値以上と検出された場合、制御部１１７は定点撮影スイッチ１１４の照明とスイッチ受付制御をＯＮにしても良い。同様に、定点撮影スイッチ１１４の近傍にＬＥＤを配置し、ズーム倍率が所定値以上と検出された場合に、ＬＥＤをＯＮにしてスイッチ受付制御をＯＮにしても良い。
【符号の説明】
【００２８】
１１２  タッチパネル
１１３  ズーム操作部
１１４  定点撮影スイッチ
１１５  ズーム倍率検出部
１１７  制御部
【図１】
2012156773.tif 000003
【図２】
2012156773.tif 000004
【図３】
2012156773.tif 000005